(57)【要約】【課題】パルス幅を短くすることなく波長分解能の低下を抑制する。【解決手段】サンプルが導入される測定セル１にパルス発振された光を照射して、前記サンプル中に含まれる測定対象成分を分析する分析装置１００であって、パルス発振される複数の光源２と、前記光源２により射出されて前記測定セル１を通過した光を検出する光検出器３と、前記光検出器３により得られた光強度信号から、前記光源のパルス発振の一部分に対応する信号を分離する分離する信号分離部６と、を備える。【選択図】図６
2019066477.tif 000002
【特許請求の範囲】
【請求項１】
サンプルが導入される測定セルにパルス発振された光を照射して、前記サンプル中に含まれる測定対象成分を分析する分析装置であって、
パルス発振される光源と、
前記光源により射出されて前記測定セルを通過した光を検出する光検出器と、
前記光検出器により得られた光強度信号から、前記光源のパルス発振の一部分に対応する信号を分離する信号分離部と、を備える分析装置。
【請求項２】
前記信号分離部は、前記光強度信号から、前記光源のパルス発振の後半部分に対応する信号を分離するものである、請求項１記載の分析装置。
【請求項３】
前記光源は、パルス発振用の駆動電流又は駆動電圧と波長変調用の駆動電流又は駆動電圧とにより、パルス発振されるとともに、発振波長が所定の周波数で変調されるものである、請求項１又は２記載の分析装置。
【請求項４】
前記信号分離部により分離された複数の信号を集めることにより１つの光吸収スペクトルとする、請求項１乃至３の何れか一項に記載の分析装置。
【請求項５】
前記信号分離部は、
前記光源のパルス発振の一部分に対応する信号をサンプルホールドするサンプルホールド回路と、
前記サンプルホールド回路により得られた信号をデジタル変換するＡＤ変換器とを備える、請求項１乃至４の何れか一項に記載の分析装置。
【請求項６】
前記信号分離部は、前記光強度信号から、前記光源のパルスオフ時の信号であるオフセット信号を分離する、請求項１乃至５の何れか一項に記載の分析装置。
【請求項７】
互いに異なるタイミングでパルス発振される複数の光源を備えており、
前記複数の光源は、順次パルス発振されるものである、請求項１乃至６の何れか一項に記載の分析装置。
【請求項８】
前記複数の光源は、光が互いに重複しないようにパルス発振されるものである、請求項７記載の分析装置。
【請求項９】
前記信号分離部は、前記光源毎のパルス発振のタイミングと同期したタイミングで、前記光強度信号から前記光源毎の信号を分離する、請求項７又は８記載の分析装置。
【請求項１０】
前記複数の光源は、それぞれ異なる測定対象成分に対応した発振波長である、請求項７乃至９の何れか一項に記載の分析装置。
【請求項１１】
サンプルが導入される測定セルにパルス発振された光を照射して、前記サンプル中に含まれる測定対象成分を分析する分析方法であって、
光源をパルス発振させて前記測定セルに光を照射し、光検出器により前記測定セルを通過した光を検出し、前記光検出器により得られた光強度信号から、前記光源のパルス発振の一部分に対応する信号を分離する分析方法。
【発明の詳細な説明】
【技術分野】
【０００１】
本発明は、例えばガスの成分分析等に用いられる分析装置及び分析方法に関するものである。
【背景技術】
【０００２】
従来、半導体レーザを用いた分析装置としては、特許文献１に示すように、波長変調方式（または周波数変調方式ともいう）のレーザガス分析計が考えられている。このレーザガス分析計は、半導体レーザへの注入電流を変調させて、半導体レーザの発振波長を掃引し、ガスに含まれる測定対象成分の吸収スペクトルを得て、濃度定量を行う分析手法（TDLAS: Tunable Diode Laser Absorption Spectroscopy）を用いたものである。また、このレーザガス分析計は、その検出感度を上げるために、波長掃引を行う電流変調の周波数よりも十分に高い周波数で小さな振幅の電流変調を加え、その周波数の２倍の周波数でロックイン検出した信号によりスペクトルを取得し、濃度定量を行っている。
【０００３】
そして、この分析装置において、半導体レーザとしてパルス発振型のものを用いることにより、疑似連続発振させて分析するもの（疑似連続発振方式）が考えられている。この疑似連続発振方式は、パルス発振型の半導体レーザをなるべく短いパルス幅（例えば数１０ｎｓ程度）で発振させ、パルス発振の繰り返し周期よりも十分遅く、かつ注入電流の変調周期よりは十分速い応答時間を有する光検出器で受光することによって、結果的に連続発振型の半導体レーザを用いた場合と同様の光強度信号を得て分析するものである。
【先行技術文献】
【特許文献】
【０００４】
【特許文献１】特開２００９−４７６７７号公報
【発明の概要】
【発明が解決しようとする課題】
【０００５】
しかしながら、この疑似連続発振方式の分析装置においては、例えば数１０ｎｓ程度の短いパルス幅であっても当該パルス内での過渡的な温度変化による波長変化が起こり、結果的に連続発振型レーザを用いる場合に比べて、得られるスペクトルの波長分解能が低下して分析性能が悪くなってしまう。
【０００６】
ここで、疑似連続発振方式において波長分解能の低下を抑制するためには、パルス幅を短くすることが考えられる。ところが、パルス幅を短くすればするほど半導体レーザを駆動させるドライバ基板には高度な技術が必要となってしまい、その分コストも上がってしまう。
【０００７】
本発明は上述したような問題に鑑みてなされたものであり、例えば疑似連続発振方式の分析装置において、パルス幅を短くすることなく波長分解能の低下を抑制することをその所期課題とするものである。
【課題を解決するための手段】
【０００８】
すなわち本発明に係る分析装置は、サンプルが導入される測定セルにパルス発振された光を照射して、前記サンプル中に含まれる測定対象成分を分析する分析装置であって、パルス発振される光源と、前記光源により射出されて前記測定セルを通過した光を検出する光検出器と、前記光検出器により得られた光強度信号から、前記光源のパルス発振の一部分に対応する信号を分離する信号分離部と、を備えることを特徴とする。
【０００９】
また、本発明に係る分析方法は、サンプルが導入される測定セルにパルス発振された光を照射して、前記サンプル中に含まれる測定対象成分を分析する分析方法であって、光源をパルス発振させて前記測定セルに光を照射し、光検出器により前記測定セルを通過した光を検出し、前記光検出器により得られた光強度信号から、前記光源のパルス発振の一部分に対応する信号を分離することを特徴とする。
【００１０】
本発明によれば、光源をパルス発振させて測定セルに光を照射し、光検出器により得られた光強度信号から光源のパルス発振の一部分に対応する信号を分離するので、パルス発振のパルス幅が波長分解能に直接影響を与えず、パルス幅を短くすることなく波長分解能の低下を抑制することができる。その結果、従来の疑似連続発振方式に比べ、波長分解能を大きく向上させることができる。また、波長分解能の低下を防ぐために、短いパルス幅にする必要がないため、光源を駆動させるドライバ基板に必要な技術の難度が下がり、その分コストも下がる。
【００１１】
光源として用いられる半導体レーザでは、パルス発振させた場合に温度変化が生じ、波長変化が生じる。この過渡的な温度変化（波長変化）はパルス発振の後半になるほど緩やかになるため、この部分の信号を分離することにより、波長分解能が向上する。このため、前記信号分離部は、前記光強度信号から、前記光源のパルス発振の後半部分に対応する信号を分離することが望ましい。この構成であれば、パルス発振のパルス幅を比較的広くし（例えば１００ｎｓ程度）、サンプリングポイントをできるだけパルスの後ろの時間に設定することで（例えば、パルス発振後の８５〜９５ｎｓ時点）、従来の疑似連続発振方式に比べ、波長分解能を大きく向上させることができる。
【００１２】
前記光源は、パルス発振用の駆動電流又は駆動電圧と波長変調用の駆動電流又は駆動電圧とにより、パルス発振されるとともに、発振波長が所定の周波数で変調されるものであることが望ましい。具体的に光源は、疑似連続発振されるとともに、電流変調による温度変化を発生させて発振波長が掃引されるものであることが望ましい。この構成であれば、疑似連続発振は連続発振に比べて光源の消費電力が小さく排熱処理も容易となり、さらに光源の長寿命化もできる。
【００１３】
信号分離部を簡単な構成により実現するためには、前記信号分離部は、前記光源のパルス発振の一部分に対応する信号をサンプルホールドするサンプルホールド回路と、前記サンプルホールド回路により得られた信号をデジタル変換するＡＤ変換器とを備えることが望ましい。ここで、サンプルホールド回路によりパルス発振の一部分に対応する信号を分離しているので、ＡＤ変換器は処理速度の遅いものであってもよい。
【００１４】
前記信号分離部は、前記光強度信号から、前記複数の光源のパルスオフ時の信号であるオフセット信号を分離することが望ましい。この構成であれば、光検出器のオフセット信号もパルス発振とほぼ同時に取得することができるので、外乱によるオフセット信号の変化を捉えることができ、精度の良い分析が可能となる。また、オフセット信号を取得するためにパルス発振型レーザなどの光源を停止させたり、光検出器に入る光を遮断するための遮光構造を設けたりする必要もない。
【００１５】
複数の分析を短時間で行うためには、分析装置は、互いに異なるタイミングでパルス発振される複数の光源を備えており、前記複数の光源は、順次パルス発振されるものであることが望ましい。具体的には、１つの光源の１周期の間に、その他の光源それぞれの１パルスが含まれることが考えられる。
【００１６】
信号分離部による信号の分離を容易にするためには、前記複数の光源は、パルス発振されたレーザ光が互いに重複しないようにパルス発振されるものであることが望ましい。
【００１７】
信号分離部による信号の分離を容易にするためには、前記信号分離部は、前記光源毎のパルス発振のタイミングと同期したタイミングで、前記光強度信号から、前記光源毎の信号を分離することが望ましい。
【００１８】
多成分同時計測を可能にするとともに、その信号処理を容易にするためには、前記複数の光源は、それぞれ異なる測定対象成分に対応したものであることが望ましい。具体的には、複数の光源は、それぞれ異なる測定対象成分に対応した発振波長を有するものである。
【発明の効果】
【００１９】
以上に述べた本発明によれば、光源をパルス発振させて測定セルに光を照射し、光検出器により得られた光強度信号光源のパルス発振の一部分に対応する信号を分離しているので、パルス幅を短くすることなく波長分解能の低下を抑制することができる。
【図面の簡単な説明】
【００２０】
【図１】本発明の一実施形態に係る分析装置の全体模式図である。
【図２】同実施形態における信号処理装置の機能ブロック図である。
【図３】同実施形態における駆動電流（電圧）及び変調信号を示す図である。
【図４】同実施形態におけるレーザ発振波長の変調方法を示す模式図である。
【図５】疑似連続発振による測定原理を示す模式図である。
【図６】同実施形態における複数の半導体レーザのパルス発振タイミング及び光強度信号の一例を示す模式図である。
【図７】同実施形態の信号分離部の構成を示す模式図である。
【図８】同実施形態のサンプルホールド回路の一例を示す図である。
【図９】同実施形態における変調信号、光検出器の出力信号、測定結果の一例を示す時系列グラフである。
【図１０】変形実施形態の濃度計算を示すフローチャートである。
【図１１】変形実施形態の分析装置の要部を示す模式図である。
【発明を実施するための形態】
【００２１】
以下、本発明の一実施形態に係る分析装置１００について、図面を参照しながら説明する。
【００２２】
この分析装置１００は、排ガスなどのサンプルガス中に含まれる測定対象成分（ここでは、例えばＣＯ、ＣＯ２、Ｎ２Ｏ、ＮＯ、ＮＯ２、Ｈ２Ｏ、ＳＯ２、ＣＨ４、ＮＨ３など）の濃度を測定する濃度測定装置であり、図１に示すように、サンプルガスが導入される測定セル１と、当該測定セル１にレーザ光を照射する光源たる複数の半導体レーザ２と、測定セル１を透過したレーザ光の光路上に設けられて該レーザ光を受光する光検出器３と、当該光検出器３の出力信号である光強度信号を受信し、その値に基づいて測定対象成分の濃度を算出する信号処理装置４とを備えている。
【００２３】
各部を説明する。
前記セル１は、前記測定対象成分の吸収波長帯域において光の吸収がほとんどない石英、フッ化カルシウム、フッ化バリウムなどの透明材質で光の入射・出射口が形成されたものである。このセル１には、図示しないが、ガスを内部に導入するためのインレットポートと、内部のガスを排出するためのアウトレットポートが設けられており、前記サンプルガスは、このインレットポートから当該セル１内に導入されて封入される。
【００２４】
半導体レーザ２は、ここでは半導体レーザ２の一種である量子カスケードレーザ（QCL: Quantum Cascade Laser）であり、中赤外（４μｍ〜１０μｍ）のレーザ光をパルス発振するパルス発振型半導体レーザである。この半導体レーザ２は、与えられた電流（又は電圧）によって、発振波長を変調（変える）ことが可能なものである。なお、パルス発振が可能であり、発振波長が可変でさえあれば、他のタイプのレーザを用いてよく、発振波長を変化させるために、温度を変化させるなどしても構わない。
【００２５】
光検出器３は、例えば、応答性がよいHgCdTe、InGaAs、InAsSb、PbSeなどの量子型光電素子を用いている。
【００２６】
信号処理装置４は、バッファ、増幅器などからなるアナログ電気回路と、ＣＰＵ、メモリなどからなるデジタル電気回路と、それらアナログ／デジタル電気回路間を仲立ちするＡＤコンバータ、ＤＡコンバータなどとを具備したものである。そして、信号処理装置４は、前記メモリの所定領域に格納した所定のプログラムに従ってＣＰＵやその周辺機器が協働することによって、図２に示すように、半導体レーザ２の出力を制御する光源制御部５、光検出器３により得られた光強度信号から半導体レーザ２毎の信号を分離する信号分離部６、及び、信号分離部６により分離された半導体レーザ２毎の信号を受信し、その値を演算処理して測定対象成分の濃度を算出する信号処理部７等としての機能を発揮する。
【００２７】
以下に各部５〜７を詳述する。
光源制御部５は、複数の半導体レーザ２それぞれをパルス発振させるとともに、レーザ光の発振波長を所定の周波数で変調させるものである。また、光源制御部５は、複数の半導体レーザ２がそれぞれ異なる測定対象成分に対応した発振波長となるように制御するものであり、互いに同じ発振周期で且つそれらの発振タイミングが互いに異なるようにパルス発振する。
【００２８】
具体的に光源制御部５は、電流（又は電圧）制御信号を出力することによって各半導体レーザ２の電流源（又は電圧源）を制御して、電流源（又は電圧源）の駆動電流（駆動電圧）をパルス発振させるための所定のしきい値以上とする。本実施形態の光源制御部５は、図３に示すように、各半導体レーザ２を、所定の周期（例えば０．５〜５ＭＨｚ）で繰り返される所定のパルス幅（例えば１０〜１００ｎｓ、Ｄｕｔｙ比５％）のパルス発振で疑似連続発振（疑似ＣＷ）させるものである。
【００２９】
また、光源制御部５は、図３に示すように、電流源（又は電圧源）の駆動電流（駆動電圧）を前記パルス発振用のしきい値未満である波長掃引用の値で所定周波数で変化させることにより温度変化を発生させてレーザ光の発振波長の掃引を行うものである。各半導体レーザにおけるレーザ光の発振波長は、図４に示すように、測定対象成分の光吸収スペクトルのピークを中心にして変調される。駆動電流を変化させる変調信号としては、三角波状、鋸波状又は正弦波状で変化するとともに、その周波数が例えば１００〜１０ｋＨｚの信号である。なお、図３には、変調信号が三角波状で変化する例を示している。
【００３０】
このように１つの半導体レーザ２を疑似連続発振させて光検出器３により得られる光強度信号は、図５のようになる。このようにパルス列全体で光吸収スペクトル（吸収信号）を取得することができる。
【００３１】
また、光源制御部５は、複数の半導体レーザ２を互いに異なるタイミングでパルス発振する。具体的には、図６に示すように、複数の半導体レーザ２が順次パルス発振し、１つの半導体レーザ２におけるパルス発振の１周期内にその他の半導体レーザ２それぞれの１パルスが含まれる。つまり、１つの半導体レーザ２の互いに隣り合うパルス内にその他の半導体レーザ２それぞれの１パルスが含まれる。このとき、複数の半導体レーザ２のパルスは、互いに重複しないように発振される。
【００３２】
信号分離部６は、光検出器３により得られた光強度信号から、複数の半導体レーザ２それぞれの信号を分離するものである。本実施形態の信号分離部６は、図７に示すように、複数の半導体レーザ２それぞれに対応して設けられた複数のサンプルホールド回路６１と当該サンプルホールド回路６１により分離された光強度信号をデジタル変換するＡＤ変換器６２とを有している。なお、サンプルホールド回路６１及びＡＤ変換器６２は、複数の半導体レーザ２に共通の１つのものとしても良い。
【００３３】
サンプルホールド回路６１は、対応する半導体レーザ２の電流（又は電圧）制御信号と同期されたサンプリング信号により、半導体レーザ２のパルス発振のタイミングと同期したタイミングで、光検出器３の光強度信号から、対応する半導体レーザ２の信号を分離して保持する。サンプルホールド回路６１の一例を図８に示すが、これに限られない。ここで、サンプルホールド回路６１は、半導体レーザ２のパルス発振の後半部分に対応する信号を分離して保持するように構成されている。具体的には、サンプルホールド回路６１のスイッチＳＷの開閉タイミングが、半導体レーザ２のパルス発振のタイミングと同期してパルス発振の後半部分に対応する信号を保持する。また、サンプルホールド回路６１は、図６に示すように、前記後半部分（例えば８０〜９０ｎｓ時点）における所定のサンプリングポイントで信号を分離する。この信号分離部６により分離された各半導体レーザ２の複数の信号を集めることにより１つの光吸収スペクトルとなり、１つの半導体レーザ２を疑似連続発振させた場合に得られる光吸収スペクトルよりも波長分解能の良いスペクトルを得ることができる。各半導体レーザ２ごとに得られた複数の光吸収スペクトルを時間平均して用いても良い。ここで、サンプルホールド回路６１によりパルス発振の一部分に対応する信号を分離しているので、ＡＤ変換器６２は処理速度の遅いものであってもよい。
【００３４】
このように信号分離部６により分離された各半導体レーザ２の吸収スペクトルを用いて信号処理部７は、各半導体レーザ２に対応する測定対象成分の濃度を算出する。
【００３５】
具体的に信号処理部７は、第１算出部７１、周波数成分抽出部７２、第２算出部７３等からなる。
第１算出部７１は、サンプルガスが封入され、その中の測定対象成分による光吸収が生じる状態での測定セル１を透過したレーザ光（以下、測定対象光ともいう。）の光強度と、光吸収が実質的にゼロ状態での測定セル１を透過したレーザ光（以下、参照光ともいう。）の光強度との比の対数（以下、強度比対数ともいう。）を算出するものである。
【００３６】
より詳細に説明すると、前者、後者いずれの光強度も光検出器３により測定され、その測定結果データはメモリの所定領域に格納されるところ、第１算出部７１は、この測定結果データを参照して強度比対数を算出する。
【００３７】
しかして、前者の測定（以下、サンプル測定ともいう。）は、当然のことながら、サンプルガスごとに都度行われる。後者の測定（以下、参照測定ともいう。）は、サンプル測定の前後にいずれかに都度行ってもよいし、適宜のタイミングで、例えば１回だけ行い、その結果をメモリに記憶させて各サンプル測定に共通に用いてもよい。なお、サンプル測定及び参照測定では、いずれも上述した光源制御部５及び信号分離部６により各半導体レーザ２の吸収スペクトルが取得されて、各半導体レーザ２の強度比対数が算出される。
【００３８】
なお、この実施形態においては、光吸収が実質的にゼロとなる状態とするために、測定対象成分の光吸収がみられる波長帯域において、光吸収が実質的にゼロとなるゼロガス、例えばＮ２ガスを測定セル１に封入しているが、その他のガスでもよいし、測定セル１内を真空にしても構わない。
【００３９】
周波数成分抽出部７２は、第１算出部７１が算出した強度比対数（以下、吸光度信号ともいう。）を、変調周波数のｎ倍（ｎは１以上の整数）の周波数を有する参照信号でロックイン検波して、当該強度比対数から参照信号の有する周波数成分を抽出するものである。なお、ロックイン検波は、デジタル演算で行ってもよいし、アナログ回路による演算で行ってもよい。また、周波数成分の抽出は、ロックイン検波のみならず、例えばフーリエ級数展開といった方式を用いても構わない。
【００４０】
第２算出部７３は、周波数成分抽出部７２による検波結果に基づいて、測定対象成分の濃度を算出するものである。
【００４１】
次に、各部の詳細説明を兼ねて、この分析装置１００の動作の一例を説明する。
【００４２】
まず、光源制御部５が、前述したように、複数の半導体レーザ２を制御し、前記変調周波数で、かつ測定対象成分の吸収スペクトルのピークを中心に、レーザ光の波長を変調する。
【００４３】
次に、オペレータにより又は自動的に、セル１内にゼロガスが封入されると、これを検知した第１算出部７１は、参照測定を行う。
具体的には、ゼロガスがセル１に封入された状態での光検出器３からの出力信号を受信し、信号分離部６が各半導体レーザ２の信号に分離して、信号処理部７は、その値をメモリに格納する。この参照測定における各半導体レーザ２による信号の値、すなわち参照光強度を時系列グラフで表すと、図９（ａ）のようになる。すなわち、レーザの駆動電流（電圧）の変調による光出力の変化のみが光検出器３の出力信号に表れている。
【００４４】
そこで、オペレータにより又は自動的にセル１内にサンプルガスが封入されると、第１算出部７１は、サンプル測定を行う。具体的には、サンプルガスがセル１に封入された状態での光検出器３からの出力信号を受信し、信号分離部６が各半導体レーザ２の信号に分離して、信号処理部７は、その値を測定結果データ格納部に格納する。その値をメモリの所定領域に格納する。このサンプル測定における各半導体レーザ2による信号の値、すなわち測定対象光強度を時系列グラフで表すと、図９（ｂ）のようになる。変調の半周期ごとに吸収によるピークが現れることがわかる。
【００４５】
次に、第１算出部７１は、各測定データを変調周期に同期させ、測定対象光の光強度と、参照光の光強度との強度比対数を算出する。具体的には、以下の式（数１）と均等な演算を行う。
【００４６】
【数１】
2019066477.tif 000003
ここで、Ｄｍ（ｔ）は測定対象光強度、Ｄｚ（ｔ）は参照光強度、Ａ（ｔ）は強度比対数（吸光度信号）である。この吸光度信号を時間を横軸にとってグラフに表すと図９（ｃ）のようになる。
【００４７】
なお、強度比対数の求め方としては、測定対象光強度と参照光強度との比を算出してからその対数を求めてもよいし、測定対象光の対数及び参照光強度の対数をそれぞれ求め、それらを差し引いても構わない。
【００４８】
次に、周波数成分抽出部７２が、強度比対数を変調周波数の２倍の周波数を有する参照信号でロックイン検波、すなわち、変調周波数の２倍の周波数成分を抽出し、そのデータ（以下、ロックインデータともいう。）を、メモリの所定領域に格納する。なお、測定対象光の対数と参照光強度の対数とをそれぞれロックイン検波したものを差し引くことによりロックインデータを得ても良い。
【００４９】
このロックインデータの値が、測定対象成分の濃度に比例した値となり、第２算出部７３が、当該ロックインデータの値に基づいて、測定対象成分の濃度を示す濃度指示値を算出する。
【００５０】
しかして、このような構成によれば、何らかの要因でレーザ光強度が変動したとしても前述した強度比対数には、一定のオフセットが加わるだけで、波形は変化しない。したがって、これをロックイン検波して算出された各周波数成分の値は変化せず、濃度指示値は変化しないため、精度のよい測定が期待できる。
【００５１】
その理由を詳細に説明すると以下のとおりである。
一般的に、吸光度信号Ａ（ｔ）をフーリエ級数展開すると、次式（数２）で表される。
なお、式（数２）におけるａｎが測定対象成分の濃度に比例する値であり、この値ａｎに基づいて前記第２算出部７３が測定対象成分の濃度を示す濃度指示値を算出する。
【００５２】
【数２】
2019066477.tif 000004
ここで、ｆｍは変調周波数であり、ｎは変調周波数に対する倍数である。
【００５３】
一方、Ａ（ｔ）は、前記式（数１）とも表される。
【００５４】
次に、測定中に何らかの要因でレーザ光強度がα倍変動した場合の、吸光度信号Ａ’（ｔ）は、以下の式（数３）のように表される。
【００５５】
【数３】
2019066477.tif 000005
【００５６】
この式（数３）から明らかなように、Ａ’（ｔ）は、レーザ光強度の変動のない場合の吸光度信号Ａ（ｔ）に一定値である−ｌｎ（α）が加わるだけとなり、レーザ光強度が変化しても各周波数成分の値ａｎは変化しないことがわかる。
【００５７】
よって、変調周波数の２倍の周波数成分の値に基づいて決定している濃度指示値には影響はでない。
以上が、サンプルガスに測定対象成分以外の干渉成分が含まれていない場合の分析装置１００の動作例である。
【００５８】
次に、測定対象成分のピーク光吸収波長に光吸収を有する１又は複数の干渉成分（例えばＨ２Ｏ）がサンプルガスに含まれている場合の本分析装置１００の動作例について説明する。
【００５９】
まず、原理を説明する。
測定対象成分と干渉成分の光吸収スペクトルは形状が違うため、それぞれの成分が単独で存在する場合の吸光度信号は波形が異なり、各周波数成分の割合が異なる（線形独立）。このことを利用し、測定された吸光度信号の各周波数成分の値と、あらかじめ求めた測定対象成分と干渉成分の吸光度信号の各周波数成分との関係を用いて、連立方程式を解くことにより、干渉影響が補正された測定対象成分の濃度を得ることができる。
【００６０】
測定対象成分、干渉成分のそれぞれが単独で存在する場合の単位濃度当たりの吸光度信号をそれぞれＡｍ（ｔ）、Ａｉ（ｔ）とし、それぞれの吸光度信号の各周波数成分をａｎｍ、ａｎｉとすると、以下の式（数４、数５）が成り立つ。
【００６１】
【数４】
2019066477.tif 000006
【００６２】
【数５】
2019066477.tif 000007
【００６３】
測定対象成分、干渉成分の濃度がそれぞれＣｍ、Ｃｉで存在する場合の吸光度信号値Ａ（ｔ）は、各吸光度の線形性により、以下の式（数６）で表される。
【００６４】
【数６】
2019066477.tif 000008
【００６５】
ここで、Ａ（ｔ）のｆｍと２ｆｍの周波数成分をそれぞれａ１、ａ２とすれば、上式（数６）より、以下の連立方程式（数７）が成り立つ。
【００６６】
【数７】
2019066477.tif 000009
【００６７】
測定対象成分、干渉成分のそれぞれが単独で存在する場合の各周波数成分ａｎｍ、ａｎｉ（ｎは自然数、ここではｎ＝１，２）は、あらかじめ、各スパンガスを流して求めておくことができるので、上式（数７）の連立方程式を解くという簡単かつ確実な演算により、干渉影響が取り除かれた測定対象ガスの濃度Ｃｍを決定することができる。
【００６８】
上述した原理に基づいて分析装置１００は動作する。
すなわち、この場合の分析装置１００は、メモリの所定領域に、例えば事前にスパンガスを流して予め測定するなどして、測定対象成分及び干渉成分が単独で存在する場合のそれぞれの吸光度信号の周波数成分ａ１ｍ、ａ２ｍ、ａ１ｉ、ａ２ｉ（単独周波数成分）を記憶している。具体的には、前例同様、測定対象成分及び干渉成分それぞれにおいて、測定対象光強度と参照光強度とを測定して、それらの強度比対数（吸光度信号）を算出し、該強度比対数からロックイン検波するなどして前記周波数成分ａ１ｍ、ａ２ｍ、ａ１ｉ、ａ２ｉを求め、これらを記憶する。なお、前記周波数成分ではなく、単位濃度当たりの吸光度信号Ａｍ（ｔ）、Ａｉ（ｔ）（単独対数強度比）を記憶して、前記式（数４）から周波数成分ａ１ｍ、ａ２ｍ、ａ１ｉ、ａ２ｉを算出するようにしてもよい。
【００６９】
そして、該分析装置１００は、オペレータからの入力などによって、測定対象成分及び干渉成分を特定する。
【００７０】
次に、前記第１算出部７１が、前記式（数１）に従って強度比対数Ａ（ｔ）を算出する。
その後、周波数成分抽出部７２が、強度比対数を前記変調周波数ｆｍ及びその２倍の周波数２ｆｍを有する参照信号でロックイン検波して、各周波数成分ａ１、ａ２（ロックインデータ）を抽出し、メモリの所定領域に格納する。
【００７１】
そして、第２算出部７３が、前記ロックインデータの値ａ１、ａ２及びメモリに記憶された周波数成分ａ１ｍ、ａ２ｍ、ａ１ｉ、ａ２ｉの値を前記式（数７）に当てはめ、あるいはこれと均等な演算を行って、干渉影響が取り除かれた測定対象ガスの濃度を示す濃度（又は濃度指示値）Ｃｍを算出する。このとき、各干渉成分の濃度（又は濃度指示値）Ｃｉを算出してもよい。
【００７２】
なお、干渉成分が２以上存在すると想定し得る場合でも、干渉成分の数だけ、より高次の周波数成分を追加して、成分種の数と同じ元数の連立方程式を解くことで、同様に干渉影響が取り除かれた測定対象成分の濃度を決定することができる。
【００７３】
すなわち、一般に測定対象成分と干渉成分を合わせてｎ種のガスが存在する場合、ｋ番目のガス種のｉ×ｆｍの周波数成分を、ａｉｋ、ｋ番目のガス種の濃度をＣｋとすると、以下の式（数８）が成り立つ。
【００７４】
【数８】
2019066477.tif 000010
【００７５】
この式（数８）で表されるｎ元連立方程式を解くことで、測定対象成分及び干渉成分の各ガスの濃度を決定することができる。
【００７６】
またｎより大きい次数の高調波成分も追加して、ガス種の数より大きい元数の連立方程式を作り、最小二乗法で、各ガス濃度を決定してもよく、こうすることで、より測定ノイズに対しても誤差の小さい濃度決定が可能となる。
【００７７】
ここで、測定対象成分と干渉成分を合わせてｎ種のガスについて各ガスの濃度を計算し、それら各ガスの濃度に所定の閾値以下の閾値以下成分がある場合には、当該閾値以下成分を除くガスについて各ガスの濃度を再計算することが考えられる。
【００７８】
具体的には、図１０に示すように、第２算出部７３は、上記の式（数８）で表されるｎ元連立方程式を解いて、ｎ種それぞれの濃度を計算する（Ｓ１）。そして、信号処理部７に設けられた判断部によって、各ガスの濃度に所定の閾値以下の閾値以下成分があるか否かを判断する（Ｓ２）。閾値以下成分がｊ種類ある場合には、第２算出部７３は、当該閾値以下成分を除く（ｎ−ｊ）種類のガスについて上記の式（数８）と同様の考えた方に基づいて表される（ｎ−ｊ）元連立方程式各ガスの濃度を再計算する（Ｓ３）。これにより、存在するガス種について精度良くその濃度を計算することができる。これらの計算は、閾値以下成分が検出されなくなるまで又は所定回数、測定対象成分の濃度算出を繰り返す。
【００７９】
また、閾値以下成分がないと判断された後の動作としては、例えば、算出された濃度に異常値があるか否かを判断する態様が挙げられる（Ｓ４）。Ｓ４において、異常値が含まれている場合は、第２算出部７３が１つ前に計算した濃度に戻り（Ｓ５）、その１つ前に計算した濃度に異常値があるか否かを判断する。異常値が含まれていない場合には、その異常値が含まれていない濃度を出力する（Ｓ６）。
【００８０】
本実施形態の分析装置によれば、複数の半導体レーザ２を互いに異なるタイミングでパルス発振させて測定セル１にレーザ光を照射し、光検出器３により得られた光強度信号から半導体レーザ２毎の信号を分離しているので、複数の半導体レーザ２を用いた複数の測定対象成分の分析を、１つの分析装置１００により効率良く行うことができる。
【００８１】
なお、本発明は前記実施形態に限られるものではない。
例えば、前記実施形態では、半導体レーザ２の発振波長を変調するものであったが、半導体レーザ２の発振波長を固定したものであってもよい。
【００８２】
また、前記実施形態では、半導体レーザ２を疑似連続発振させるものであったが、単にパルス発振させるものであってもよい。
【００８３】
さらに、前記実施形態では、信号分離部６をアナログ電気回路（サンプルホールド回路６１）を用いて構成したが、デジタル電気回路から構成してもよい。この場合、光検出器３からの光強度信号をＡＤ変換器でデジタル信号にした後に、当該デジタル信号から各半導体レーザ２のパルス発振に同期したサンプル信号によりサンプリングして分離することが考えられる。
【００８４】
その上、信号分離部６は、前記実施形態に加えて、光検出器３の光強度信号から、複数の半導体レーザ２のパルスオフ時の信号であるオフセット信号を分離するものであってもよい。そして、信号処理部７は、このオフセット信号を用いて、参照測定及びサンプル測定において光検出器３の光強度信号を補正する。このようなものであれば、光検出器３のオフセット信号もパルス発振とほぼ同時に取得することができるので、外乱によるオフセット信号の変化を捉えることができ、精度の良い分析が可能となる。また、オフセット信号を取得するために半導体レーザ２を停止させたり、光検出器３に入る光を遮断するための遮光構造を設けたりする必要もない。
【００８５】
また、前記実施形態では、複数の光源は互いに同じ発振周期でパルス発振されるものであったが、それら光源の発振周期が互いに異なるものであってもよい。
【００８６】
前記実施形態では、複数の半導体レーザを用いてサンプルガスに含まれる複数の測定対象成分の濃度を測定するものであったが、複数の半導体レーザを用いて、測定対象成分の濃度に加えてその他の測定項目を測定するものであってもよい。
【００８７】
前記実施形態では複数の光源を備えるものであったが、１つの光源のみを有する構成であってもよい。この場合であっても信号分離部は１つの光源のパルス発振に同期して信号を分離する。
【００８８】
また、サンプルガスは、排ガスのみならず大気などでもよいし、液体や固体でも構わない。その意味では、測定対象成分もガスのみならず液体や固体でも本発明を適用可能である。また、測定対象を貫通透過した光の吸光度のみならず、反射による吸光度算出にも用いることができる。
【００８９】
同一の測定対象成分に対して互いに発振波長の異なる光源を用いて分析するようにしても良い。これにより情報量を増やして干渉影響をより一層低減することができる。
【００９０】
光源も、半導体レーザに関わらず、他のタイプのレーザでもよいし、測定精度を担保するに十分な半値幅をもつ単波長光源であって、波長変調さえできるものなら、どのような光源を用いてもよい。
【００９１】
前記実施形態ではサンプルホールド回路とＡＤ変換器を有するものであったが、ＡＤ変換器がサンプルホールド機能を有するものであれば、サンプルホールド回路を設けない構成としても良い。
【００９２】
前記実施形態では１つの光検出器によりサンプル測定及び参照測定を行っているが、図１１に示すように、２つの光検出器３１、３２を用いて、一方の光検出器３１をサンプル測定用とし、他方の光検出器３２を参照測定用としても良い。この場合、ハーフミラ３３により光源２からの光を分岐させる。また、参照測定の光路上に参照セルを配置しても良い。なお、参照セルには、ゼロガス又は濃度既知の基準ガスを封入することが考えられる。
【００９３】
その他、本発明の趣旨に反しない限りにおいて様々な実施形態の変形や組み合わせを行っても構わない。
【符号の説明】
【００９４】
１００・・・分析装置
１    ・・・測定セル
２    ・・・光源（半導体レーザ）
３    ・・・光検出器
６    ・・・信号分離部
【図１】
2019066477.tif 000011
【図２】
2019066477.tif 000012
【図３】
2019066477.tif 000013
【図４】
2019066477.tif 000014
【図５】
2019066477.tif 000015
【図６】
2019066477.tif 000016
【図７】
2019066477.tif 000017
【図８】
2019066477.tif 000018
【図９】
2019066477.tif 000019
【図１０】
2019066477.tif 000020
【図１１】
2019066477.tif 000021